(57)【要約】【課題】  作業通路を有する炉の作業にも適し、構造が簡単で作業性の良い、安価なランス旋回作業台車を提供することを目的とする。【解決手段】  ランス旋回作業台車１において、走行手段２を有する車台３に回転台４を設置し、回転台４上に作業床７を支持する支柱８と、ランス支持部材１１を昇降自在に支持するランス昇降装置９を設置し、前記ランス支持部材１１を伸縮自在にし、前記ランス昇降装置９が油圧装置１０により伸縮する油圧駆動式昇降装置であり、前記作業床７及び車台３に作業時安定のためのアウトリガー５を設置したことを特徴とする。【選択図】  図４
2005024234.tif 000002
【特許請求の範囲】
【請求項１】
走行手段を有する車台に回転台を設置し、回転台上に作業床を支持する支柱と、ランス支持部材を昇降自在に支持するランス昇降装置を設置したことを特徴とするランス旋回作業台車。
【請求項２】
前記回転台に作業床を昇降自在に支持する作業床昇降装置を設置したことを特徴とする請求項１に記載のランス旋回作業台車。
【請求項３】
前記ランス昇降装置が油圧装置により駆動され、収納時はランス支持部材を作業床下に収納可能であることを特徴とする請求項１又は２に記載のランス旋回作業台車。
【請求項４】
前記作業床及び車台に作業時安定のためのアウトリガーを設置したことを特徴とする請求項１〜３のいずれか１項に記載のランス旋回作業台車。
【請求項５】
前記ランス支持部材を伸縮自在にしたことを特徴とする請求項１〜４のいずれか１項に記載のランス旋回作業台車。
【請求項６】
前記ランス支持部材に対してランスを着脱自在とすることを特徴とする請求項１〜５のいずれか１項に記載のランス旋回作業台車。
【請求項７】
前記回転台と前記ランス昇降装置の上端のフレームとの間に蛇腹式防塵安全カバーを設置したことを特徴とする請求項１〜６のいずれか１項に記載のランス旋回作業台車。
【発明の詳細な説明】
【技術分野】
【０００１】
本発明は、コークス炉等の各種炉内で補修等の作業をするランスを支持する作業台車に関する。
【背景技術】
【０００２】
従来、作業通路を有するコークス炉等の各種炉内での作業に用いるランスは、長さが５〜１２ｍと長く、炉内へのランスの挿入は、作業通路で先ず人力により実施し、ランスが炉内に挿入され、炉内の支持手段により支持された後、作業通路に作業台を設置し、作業台上で作業員がランスを操作し、作業を行っていた。
【０００３】
また、作業通路を有する炉内作業のためのランス作業台車として、特開平８−２７０２０６号公報に、大型の作業台車に自動制御によりほぼ無人でランス作業をするものが開示されている。
【特許文献１】特開平８−２７０２０６号公報
【発明の開示】
【発明が解決しようとする課題】
【０００４】
作業通路を有する炉内でのランス作業は、長いランスを作業通路の進行方向に対して直角方向に人力により炉内に挿入して実施されるため、コークス炉の場合、移動機械が動いているので接触の危険性があり、特に、ガイド側施工時は消火電車が走行しており危険である。その後、作業員がランス作業するための作業台を新たに幅狭の作業通路に設置していたため、作業台の設置に時間がかかり作業効率に問題があった。また、前記特開平８−２７０２０６号公報に開示された大型のランス作業台車は、重量が重いので強度の弱い作業通路では使用できず、格納場所から作業通路への出し入れが困難であり、設備にも多額の費用を必要とするという問題を有するものであった。
【０００５】
本発明は、幅狭の作業通路を有する炉の作業にも適し、構造が簡単で作業性の良い、安価なランス旋回作業台車を提供することを目的とする。
【課題を解決するための手段】
【０００６】
本第１発明は、前記課題を解決するために、ランス旋回作業台車において、走行手段を有する車台に回転台を設置し、回転台上に作業床を支持する支柱と、ランス支持部材を昇降自在に支持するランス昇降装置を設置したことを特徴とする。
【０００７】
本第２発明は、本第１発明のランス旋回作業台車において、前記回転台に作業床を昇降自在に支持する作業床昇降装置を設置したことを特徴とする。
【０００８】
本第３発明は、本第１又は第２発明のランス旋回作業台車において、前記昇降装置が油圧装置により駆動され、収納時はランス支持部材を作業床下に収納可能であることを特徴とする。
【０００９】
本第４発明は、本第１〜第３発明のいずれか１つの発明のランス旋回作業台車において、前記作業床及び車台に作業時安定のためのアウトリガーを設置したことを特徴とする。
【００１０】
本第５発明は、本第１〜第４発明のいずれか１つの発明のランス旋回作業台車において、前記ランス支持部材を伸縮自在にしたことを特徴とする。
【００１１】
本第６発明は、本第１〜第５発明のいずれか１つの発明のランス旋回作業台車において、前記ランス支持部材に対してランスを着脱自在とすることを特徴とする。
【００１２】
本第７発明は、本第１〜第６発明のいずれか１つの発明のランス旋回作業台車において、前記回転台と前記ランス昇降装置の上端のフレームとの間に蛇腹式の防塵安全カバーを設置したことを特徴とする。
【００１３】
（作用）
本発明の走行用クローラを有する車台に回転台を設置し、回転台上に作業床を支持する支柱と、ランス支持部材を昇降自在に支持するランス昇降装置を設置するという構成により、作業通路でのランスの炉内への挿入、炉内でのランス作業が容易に行える。
前記回転台に作業床を昇降自在に支持する作業床昇降装置を設置するという構成により、高い位置でのランスの炉内への挿入、炉内でのランス作業が安全・容易に行える。
ランス昇降装置が油圧装置により駆動され、収納時はランス支持部材を作業床下の収納可能である構成により、コンパクトな状態に収納可能であり、昇降時も小型の油圧装置により容易に昇降可能となる。
作業床及び車台に作業時安定のためのアウトリガーを設置する構成により、ランス作業時の作業床を安定した状態に保持できる。
ランス支持部材を伸縮自在とする構成により、ランスを炉内に挿入又は取出す際のランスの撓みを抑制して支持可能にする。また、移動機械（消火電車）との干渉もなく安全に作業することができる。
ランス支持部材に対してランスを着脱自在とする構成により、ランス支持部材と連結されたランス昇降装置を炉内でのランス作業時に下降し作業床下に収納し、作業員のランス作業の障害物になるのを防止可能にする。
回転台と前記ランス昇降装置の上端のフレームとの間に蛇腹式防塵安全カバーを設置する構成により、伸張、収縮する昇降装置に連動して蛇腹式防塵安全カバーも伸張、収縮し、昇降装置に塵埃が付着し、且つ作業員の手足が挟まれたりするのを防止し作業員の安全性を確保できる。
【発明の効果】
【００１４】
本発明の走行用クローラを有する車台に回転台を設置し、回転台上に作業床を支持する支柱と、ランス支持部材を昇降自在に支持するランス昇降装置を設置するという構成により、作業通路でのランスの炉内への挿入、炉内でのランス作業が容易に行える。
前記回転台に作業床を昇降自在に支持する作業床昇降装置を設置するという構成によい、高い位置でのランスの炉内への挿入、炉内でのランス作業が安全・容易に行える。
ランス昇降装置が油圧装置により駆動され、収納時はランス支持部材を作業床下の収納可能である構成により、コンパクトな状態に収納可能であり、昇降時も小型の油圧装置により容易に昇降可能となる。
作業床及び車台に作業時安定のためのアウトリガーを設置する構成により、ランス作業時の作業床を安定した状態に保持できる。
ランス支持部材を伸縮自在とする構成により、ランスを炉内に挿入又は取出す際のランスの撓みを抑制して支持可能にする。また、移動機械（消火電車）との干渉もなく安全に作業することができる。
ランス支持部材に対してランスを着脱自在とする構成により、ランス支持部材と連結されたランス昇降装置を炉内でのランス作業時に下降し作業床下に収納し、作業員のランス作業の障害物になるのを防止可能にする。
回転台と前記ランス昇降装置の上端のフレームとの間に蛇腹式防塵安全カバーを設置する構成により、伸張、収縮する昇降装置に連動して蛇腹式防塵安全カバーも伸張、収縮し、昇降装置に塵埃が付着し、且つ作業員の手足が挟まれたりするのを防止し作業員の安全性を確保できる。
【発明を実施するための最良の形態】
【００１５】
本発明の実施の形態を図により説明する。図１は、本発明のランス旋回作業台車の一実施形態の側面図であり、図２はその平面図、図３はその正面図であり、図４は、本発明のランス旋回作業台車の使用状態を示す側面図である。ランス旋回作業台車１は、走行用のクローラ等の走行手段２を備えた車台３を有する。車台３には、垂直軸を軸として回転する回転台４が回転自在に設置される。また、車台３には、走行方向に対して直交する方向に伸縮する車台アウトリガー５が設置され、車台アウトリガー５の先端部に上下に昇降する接地脚６が昇降自在に設置される。
【００１６】
回転台４上には、作業床７を支持する支柱８が立設され、また、回転台４上には、パンタグラフ式等のランス昇降装置９の下端が固定される。パンタグラフ式等のランス昇降装置９は、油圧装置１０により上下に昇降する。この実施形態ではランス昇降装置９の一例としてパンタグラフ式のものを例示しているが、本発明はこの実施形態により限定されるものではなく、ランス昇降装置９として、垂直シリンダーやマスト式、クレーン式等のランス昇降装置であってもよい。
ランス昇降装置９の上端にランス支持部材１１が連結される。ランス支持部材１１の先端部には、テレスコープ状にランス支持部材１１に嵌挿され、前後に伸縮するランス支持延長部１２が設置される。ランス支持部材１１の上面には、ランスを前後にガイドする下部ガイドローラ１３と、丁番により回動する上部ガイドローラ１４が設置され、上部ガイドローラ１４は、ロック機構により閉状態に下部ガイドローラ１３上にロック可能にされ、上下部ガイドローラ１３、１４との間にランス１７を摺動自在に且つ上下に抜け止めして保持する。
【００１７】
回転台４とランス支持部材１１の下部との間に蛇腹式防塵安全カバー１５が設置される。
回転台４上に支柱８により支持される作業床７には、水平に保持され、昇降装置９が昇降する切欠き部１６が形成される。作業床７の後部に接地脚６が上下に昇降自在に設置される。また、作業床７の周囲には手摺１８が設置される。
【００１８】
図５は、本発明のランス旋回作業台車の他の実施形態の側面図である。この実施形態においては、回転台４上に、作業床７が作業床昇降装置２１により昇降自在される。これは、ランス１７の炉に挿入する作業孔２０の位置が高所に存在する場合、ランス作業を安全且つ容易にするために、作業員が作業する作業床７を、ランス昇降装置９により昇降するランス支持部材１１と連動して作業床昇降装置２１により作業床７を昇降する。作業床昇降装置２１として、垂直シリンダー式や、リンクと油圧手段を組み合わせたもの等の昇降装置としてもよい。
【００１９】
本発明のランス旋回作業台車１によるランス作業の作業手順を説明する。
（１）ランス支持部材１１を連結したランス昇降装置９を作業床７の下部に収納した縮小した状態（図１のＡの位置）で、作業通路を作業箇所まで走行する。
（２）作業箇所において回転台４を９０度回転し、作業床７とランス昇降装置９に連結されたランス支持部材１１を炉１９の作業孔２０に向け、車台アウトリガー５を伸長し、接地脚６を下降させ、車台３と作業床７を安定させる。
（３）ランス昇降装置９をランス積載位置（図１のＢの位置）まで上昇させ、ランス１７をランス支持部材１１の下部ガイドローラ１３に載置し、上部ガイドローラ１４を回動させ、ランス９を上下部ガイドローラ１３、１４に摺動自在にし、ランスの上方向へ移動を防止するためにロックする。
（４）ランス昇降装置９をランス作業位置（図４の状態）まで上昇させ、ランス支持部材１１のランス支持延長部１２を伸長させ、ランス１７を炉１９の作業孔２０から挿入する。
（５）ランス１７の先端部が炉１９内の支持手段に支持されると、ランス支持部材１１の上部ガイドローラ１４のロックを解除し、上部ガイドローラ１４を開の状態に回動し、ランス１７とランス支持部材１１の係合を解除し、ランス昇降装置９を下降させ、ランス支持部材１１を作業回避位置である作業床７の床下収納位置に収納する。
（６）ランス１７の端部を作業員が保持してランスにより炉内作業を実施する。
（７）ランス１７の炉１９内での作業が終了すると、ランス昇降装置９を再び作業位置まで上昇し、ランス支持部材１１とランス１７を係合させ、ランスを炉１９内から引抜き、ランス支持延長部１２も縮小位置に戻す。
（８）ランス昇降装置９をランス取り外し位置（図１のＢの位置）に下降させ、ランス１７をランス支持部材１１から取り外す。
【図面の簡単な説明】
【００２０】
【図１】本発明の一実施形態を示す図。
【図２】本発明の一実施形態を示す図。
【図３】本発明の一実施形態を示す図。
【図４】本発明の一実施形態を示す図。
【図５】本発明の一実施形態を示す図。
【符号の説明】
【００２１】
１：ランス旋回作業台車
２：走行手段
３：車台
４：回転台
５：車台アウトリガー
６：接地脚
７：作業床
８：支柱
９：ランス昇降装置
１０：油圧装置
１１：ランス支持部材
１２：ランス支持延長部
１３：下部ガイドローラ
１４：上部ガイドローラ
１５：蛇腹式防塵安全カバー
１６：切欠き部
１７：ランス
１８：手摺
１９：炉
２０：作業孔
２１：作業床昇降装置
【図１】
2005024234.tif 000003
【図２】
2005024234.tif 000004
【図３】
2005024234.tif 000005
【図４】
2005024234.tif 000006
【図５】
2005024234.tif 000007